(57)【特許請求の範囲】
【請求項１】
紙材を切断して形成された展開状態のカートンブランクスを複数枚積み上げてなるブランクスブロックを移送する移送手段と、
前記移送手段で移送された前記ブランクスブロックのエッジ面を揃えて整列を行う整列手段と、前記整列手段で整列された前記ブランクスブロックの側面に前記カートンブランクスの積み上げ方向に沿って、商品の認識情報を表示する切欠を刻設する切削手段と、を備えてなり、
該切削手段は、互いに異なる商品の認識情報を表示する切欠パターンを切削する複数の回転刃を備え、前記複数の回転刃が選択的に用いられることを特徴とする紙容器の切欠形成装置。
【請求項２】
請求項１記載の紙容器の切欠形成装置であって、前記複数の回転刃は、相対的に変位することを特徴とする紙容器の切欠形成装置。
【請求項３】
請求項１または請求項２に記載の紙容器の切欠形成装置であって、前記切削手段は、紙材の切削塵を吸引する集塵器を備えることを特徴とする紙容器の切欠形成装置。
【請求項４】
請求項１〜請求項３のいずれかに記載の紙容器の切欠形成装置であって、
前記移送手段は、上下方向に前記カートンブランクスが複数枚積み上げられた前記ブランクスブロックを横方向に搬送する搬送ラインと、該搬送ラインで所定位置に搬送された前記ブランクスブロックを保持リフトで挾持して上方へ搬送すると共に前記切欠が形成された前記ブランクスブロックを前記搬送ラインに搬送する昇降ラインと、を有し、
前記昇降ラインの上部に前記保持リフトを変位させて前記ブランクスブロックの切欠形成面を前記切削手段側に向ける回転変位機構を備えることを特徴とする紙容器の切欠形成装置。
【請求項５】
請求項４記載の紙容器の切欠形成装置であって、前記回転変位機構は、リンク機構でなり、前記保持リフトが前記昇降ラインに対して９０度の角度となすように変位させることを特徴とする紙容器の切欠形成装置。
【請求項６】
請求項４または請求項５に記載の紙容器の切欠形成装置であって、前記整列手段は、前記保持リフトに設けられていることを特徴とする紙容器の切欠形成装置。
【請求項７】
請求項１〜請求項６のいずれかに記載の紙容器の切欠形成装置であって、前記切削手段は、互いに異なる商品の認識情報を表示する切欠パターンを切削する１つもしくは２つの刃が配設された回転刃が同一基体の両端部にそれぞれ設けられ、該基体の傾きを変えることにより前記回転刃の一方端が選択されることを特徴とする紙容器の切欠形成装置。
【発明の詳細な説明】
【０００１】
【発明の属する技術分野】
本発明は、紙材から展開状態に切断された後に箱状に折曲形成されて、例えば牛乳やジュースなどの飲用物が充填される紙容器の切欠形成装置に関する。
【０００２】
【従来の技術】
従来、牛乳やジュースなどの飲用物が充填される紙容器（牛乳パックなど）では、その表面（側面）に、内容物に関する情報、例えば、内容物が牛乳であること、ジュースであることなどが印刷されて表示されている。消費者は、この表示内容を認識することにより、その紙容器内に充填されている内容物を判断している。
【０００３】
【発明が解決しようとする課題】
しかしながら、容器が箱詰めされていたり、表面が覆われているような場合、内容物に関する情報を認識することができず、紙容器の形状が同一であるため、誤って異なる内容物が充填された紙容器を選んでしまう恐れがある。
【０００４】
また、このような場合、箱内から一々取り出したり、表面を露出させたりして側面の印刷された表示を視認しなければならないので、利便性に欠けるという問題がある。
【０００５】
そこで、本発明は、紙容器の内容物に関する情報を容易に得ることを可能にする情報表示用の切欠を容器に形成する切欠形成装置の提供を目的とする。
【０００６】
【課題を解決するための手段】
請求項１記載の発明は、紙容器の切欠形成装置であって、紙材を切断して形成された展開状態のカートンブランクスを複数枚積み上げてなるブランクスブロックを移送する移送手段と、前記移送手段で移送された前記ブランクスブロックのエッジ面を揃えてを整列を行う整列手段と、前記整列手段で整列された前記ブランクスブロックの側面に前記カートンブランクスの積み上げ方向に沿って、商品の認識情報を表示する切欠を刻設する切削手段と、を備えてなり、該切削手段は、互いに異なる商品の認識情報を表示する切欠パターンを切削する複数の回転刃を備え、前記複数の回転刃が選択的に用いられることを特徴とする。
【０００７】
従って、請求項１記載の発明では、移送手段で移送されたブランクスブロックは、整列手段でエッジ面が揃えられ、切削手段で商品の認識情報を表示する切欠が形成される。切削手段は、複数の回転刃のうちカートンブランクスで形成される紙容器に充填される内容物などの情報に応じた切欠パターンを切削する所望の回転刃の選択が可能であるため、容器の種類が変わる都度、回転刃を交換する作業を省略できる。
【０００８】
請求項２記載の発明は、請求項１記載の紙容器の切欠形成装置であって、前記複数の回転刃は、相対的に変位することを特徴とする。
【０００９】
従って、請求項２記載の発明では、容器や製品の種類に応じて回転刃を任意に変位させて選択することができる。つまり、例えば、回転刃の一方を上昇させ他方を下降させる事を駆動手段で自動的に行う事により、作業者が手を触れる事なく回転刃を選択できる。
【００１０】
請求項３記載の発明は、請求項１または請求項２に記載の紙容器の切欠形成装置であって、前記切削手段は、紙材の切削塵を吸引する集塵器を備えることを特徴とする。
【００１１】
従って、請求項３記載の発明では、紙材の切削塵を切削しながら排除することができ、回転刃の目詰まりや切削塵が紙容器に混入する事などを抑制できる。
【００１２】
請求項４記載の発明は、請求項１〜請求項３のいずれかに記載の紙容器の切欠形成装置であって、前記移送手段は、上下方向に前記カートンブランクスが複数枚積み上げられた前記ブランクスブロックを横方向に搬送する搬送ラインと、該搬送ラインで所定位置に搬送された前記ブランクスブロックを保持リフトで挾持して上方へ搬送すると共に前記切欠が形成された前記ブランクスブロックを前記搬送ラインに搬送する昇降ラインと、を有し、前記昇降ラインの上部に前記保持リフトを変位させて前記ブランクスブロックの切欠形成面を前記切削手段側に向ける回転変位機構を備えることを特徴とする。
【００１３】
従って、請求項４記載の発明では、切断装置で切断されたカートンブランクスのブランクスブロックを搬送ラインで切削手段まで搬送することができ、回転変位機構で昇降ラインの上部に搬送された保持リフトを切削手段側に向けて待機させることができる。このため、ブランクスブロックの切欠形成面を切削手段に対して適切な位置に配置することができる。
【００１４】
請求項５記載の発明は、請求項４記載の紙容器の切欠形成装置であって、前記回転変位機構は、リンク機構でなり、前記保持リフトが前記昇降ラインに対して９０度の角度となすように変位させることを特徴とする。
【００１５】
従って、請求項５記載の発明では、保持リフトを昇降ラインに対して９０度の角度をなすように変位させることで上下方向に積んだブランクスブロックの側面を横方向に向けることができ、切削手段を横方向に走行させることが可能になる。このため、重量のある切削手段を走行させる駆動手段の負担を軽減させることができる。
【００１６】
請求項６記載の発明は、請求項４または請求項５に記載の紙容器の切欠形成装置であって、前記整列手段は、前記保持リフトに設けられていることを特徴とする。
【００１７】
従って、請求項６記載の発明では、保持リフトにブランクスブロックの整列手段が設けられているため、切削を行う直前に整列を行うことができ切削歩留まりを向上させることができる。
【００１８】
請求項７記載の発明は、請求項１〜請求項６のいずれかに記載の紙容器の切欠形成装置であって、前記切削手段は、互いに異なる商品の認識情報を表示する切欠パターンを切削する１つもしくは２つの刃が配設された回転刃が同一基体の両端部にそれぞれ設けられ、該基体の傾きを変えることにより前記回転刃の一方端が選択されることを特徴とする。
【００１９】
従って、請求項７記載の発明では、異なる回転刃の選択が取付基体の傾きで制御できるため、ブランクスブロックの切欠形成面に対して回転刃の出没を簡単に行うことができる。
【００２０】
【発明の実施の形態】
以下、この発明に係る紙容器の切欠形成装置の詳細を図面に示す実施形態に基づいて説明する。なお、本実施形態の切欠形成装置の構成の説明に先駆けて、切欠が形成される紙容器の構成を図５〜図７を用いて説明する。
【００２１】
図５に示すように、本実施形態で形成される紙容器１は、牛乳などが充填される箱状の牛乳パックで、底面部２と、側面部３と、容器トップ部４とからなる。容器トップ部４の外周端４ｅには、本実施形態の切欠形成装置で形成される内容物に関する情報が表示された情報表示切欠部５が形成されている。情報表示切欠部５は、容器トップ部４の外周端４ｅに形成された半円状の切欠（図７（ａ）参照）６で形成されている。
【００２２】
紙容器１は、紙材を打ち抜いて或いは輪郭に沿って切り取られて形成された展開状態のカートンブランクス７で形成される。このカートンブランクス７の形成工程は、側面部３に絵柄を印刷する印刷工程（図示省略する）内で行われる。
【００２３】
このようにして形成されたカートンブランクス７は、図６に示すように複数枚が集積・積層されたブランクスブロック１１とされ、図７（ａ）、（ｂ）で示すような内容物に応じた形状の切欠（半円形状）６や切欠（三角形状）８が形成される。その後、それぞれのカートンブランクス７を箱状に加工して図６に示す紙容器１を製造することができる。
【００２４】
次に、図１〜図５を用いて、ブランクスブロック１１にパターン形状の異なる切欠６や切欠８を形成する切欠形成装置２１の構成を説明する。図１に示すように、本実施形態の切欠形成装置２１は、切断されたカートンブランクス７を積層したブランクスブロック１１を水平方向に搬送する搬送ライン２２と、搬送ライン２２で所定位置まで搬送されたブランクスブロック１１を保持リフト２３で挾持して昇降させる昇降ライン２４と、昇降ライン２４の上部で保持リフト２３を９０度回転させて変位させる回転変位駆動部２５と、昇降ライン２４の上部で変位された保持リフト２３に挾持されたブランクスブロック１１の切欠形成面に切欠を形成する切削手段としての回転カッタ部２６と、から大略構成されている。
【００２５】
搬送ライン２２は、水平方向に平行に配置された複数のローラ２７〜２７に搬送ベルト２８が張設されて、所定のローラ２７が回転駆動されることにより搬送ベルト２８に設けられた製品受け台２９を移送するようになっている。この搬送ライン２２の所定の荷受け位置で停止された製品受け台２９には、別途設置されたロボットアーム（図示省略する）からブランクスブロック１１が載置されるようになっている。
【００２６】
保持リフト２３は、昇降ライン２４に沿って昇降するように走行駆動される。そして、搬送ライン２２の所定の待機位置でブランクスブロック１１を保持して、昇降ライン２４の上部まで搬送するようになっている。また、保持リフト２３は、ブランクスブロック１１の上下を挾持する上下面保持板２３Ａ、２３Ｂと、ブランクスブロック１１の両側面を保持する側面保持板（図示省略する）を有する。上下面保持板２３Ａ、２３Ｂは保持用シリンダ３５に連結されブランクスブロック１１の上下面を所定の圧力で押さえ得るようになっている。また、側面保持板も保持用シリンダ３６に連結され両側面を所定の圧力で押さえ得るようになっている。
【００２７】
回転変位駆動部２５は、保持リフト２３の異なる部分に一端側が枢支された２本のリンクアーム３０、３１を備え、これらリンクアーム３０、３１の他端側は、異なる位置に配置された互いに平行をなす駆動軸３２、３３に固設されている。図２は、この回転変位駆動部２５のリンク機構を示す説明図である。リンクアーム３０は、リンクアーム３１より短く設定され、リンクアーム３０の他端側の駆動軸３２はリンクアーム３１の他端側の駆動軸３３よりも、保持リフト２３の回転変位位置に近い位置に配設されている。このため、図２に示すように、保持リフト２３が昇降ライン２４の上部に配置された実線で示す位置にある場合は、ブランクスブロック１１が上下方向に積まれた状態を保っている。また、駆動軸３２を図面の時計回り方向に回転駆動させると、保持リフト２３が一点鎖線で示す位置に上昇してやや傾いた状態となる。さらに、駆動軸３２を回転駆動させると、保持リフト２３は二点鎖線で示す状態を経て破線で示すように９０度倒れた状態となる。このとき、ブランクスブロック１１の切欠形成面が下向きになるように、搬送段階から予め設定されている。
【００２８】
保持リフト２３が９０度回転して変位した位置の上方には、９０度回転して倒れたブランクスブロック１１の上面（側面）のエッジを面一に整列させる整列補助板３４が配置されている。この整列補助板３４は、シリンダ３４Ａのピストンが接続されており、上下方向に揺動し得るようになっている。また、保持リフト２３の上下面保持板２３Ａ、２３Ｂと、ブランクスブロック１１の両側面を保持する側面保持板は、上下面保持板２３Ａ、２３Ｂの間隔をやや離してブランクスブロック１１への圧迫を弱めた状態で側面保持板が両側のエッジ面を整列を行うように設定される。また、同時に整列補助板３４も同期してブランクスブロック１１の他の側面の整列を行うように設定されている。このように上下面保持板２３Ａ、２３Ｂと側面保持板と、整列補助板３４とで整列手段を構成しており、ブランクスブロック１１に切欠が形成される直前に整列させることができ、搬送に際してカートンブランクスの重なりに乱れが生じていても、この整列手段でその乱れを是正でき適切な切欠形成面にすることができる。
【００２９】
回転カッタ部２６は、異なる切欠パターンまたは異なる位置に切欠パターンを形成するための第１回転刃３７と第２回転刃３８はそれぞれ１つ或いは２つの任意の加工形状に対応した刃が配設される。また、図３に示すようにこれらの回転刃３７、３８は、同一の設置基板（基体）３９に所定の距離を介して設置されている。また、これら回転刃３７、３８は同一のモータ４０にベルト４１を介して連動するようになっている。さらに、設置基板３９の両側の下部には、それぞれ昇降用シリンダ４２、４３のピストン４４、４５の端部が接続されている。このため、昇降用シリンダ４２、４３のピストン４４、４５の一方を上昇させ他方を下降させることにより、いずれかの回転刃を上方に向けて突出させることができるようになっている。また、昇降用シリンダ４２、４３の下端は、レール４６上を走行可能な走行板４７に接続されている。この走行板４７は、回転刃３７、３８の一方が選択され、同図に示すようにブランクスブロック１１が所定の切削待機位置に配置された状態に走行駆動されるように設定されている。なお、切削を行うには、一方の回転刃を突出させた状態で昇降用シリンダ４２、４３を調整して切削レベルまで回転刃の高さの位置合わせを行い、走行板４７を図３に示す矢印の方向へ走行させることで情報表示用の切欠をブランクスブロック１１の下面に形成することができる。なお、図４は、回転カッタ部２６の側面図である。なお、この回転カッタ部２６には、回転刃でブランクスブロック１１が切削されることにより発生する切削塵を吸引排除する集塵フード部４８が設けられている。この集塵フード部４８の吸引駆動は、選択された回転刃の回転駆動と同期して行われるように設定されている。
【００３０】
このような構成の切欠形成装置２１では、搬送ライン２２で運ばれたブランクスブロック１１を保持リフト２３で挾持して昇降ライン２４に沿って上昇させ、昇降ライン２４の上部で保持リフト２３を回転変位駆動部２５で９０度回転させて変位させる。そして、切削待機位置に変位された保持リフト２３に挾持されたブランクスブロック１１の切欠形成面を回転カッタ部２６で切削することにより切欠を良好に形成することができる。このように切欠が形成されたブランクスブロック１１は保持リフト２３とともに回転変位駆動部２５で昇降ライン２４に戻され、昇降ライン２４を下降されて搬送ライン２２の待機位置に降ろされる。その後、搬送ライン２２により次工程の組み立てライン側へ搬送される。
【００３１】
尚、該切欠は、紙容器の開封方向の判別等にも利用する事ができる。
【００３２】
なお、それぞれの刃は任意の加工形状に対応した刃が配設される。
【００３３】
以上、実施形態について説明したが、本発明はこれに限定されるものではなく、構成の要旨に付随する各種の設計変更が可能である。
【００３４】
【発明の効果】
以上の説明から明らかなように、請求項１記載の発明によれば、内容物などの情報に応じた切欠パターンを切削する所望の回転刃の選択が容易であるため、容器の種類が変わる都度、回転刃を交換する作業を省略できる。
【００３５】
請求項２記載の発明によれば、容器の種類に応じて回転刃を変位させて選択することができる。回転刃の変位を駆動手段で自動的に行うことで、作業者が手を触れずに使用する回転刃を変えることができる。
【００３６】
請求項３記載の発明によれば、紙材の切削塵を切削しながら排除することができ、回転刃の目詰まりや切削塵が紙容器に混入する事などを抑制できる。
【００３７】
請求項４記載の発明によれば、ブランクスブロックの切欠形成面を切削手段に対して適切な位置に配置することができる。
【００３８】
請求項５記載の発明によれば、保持リフトを昇降ラインに対して９０度の角度をなすように変位させることで上下方向に積んだブランクスブロックの側面を横方向に向けることができ、切削手段を横方向に走行させることを可能にし、重量のある切削手段を走行させる駆動手段の負担を軽減させることができる。
【００３９】
請求項６記載の発明によれば、保持リフトにブランクスブロックの整列手段が設けられているため、切削を行う直前に整列を行うことができ切削歩留まりを向上させることができる。
【００４０】
請求項７記載の発明によれば、異なる回転刃の選択が取付基体の傾きで制御できるため、ブランクスブロックの切欠形成面に対して回転刃の出没を簡単に行うことができる。
【図面の簡単な説明】
【図１】本発明に係る紙容器の切欠形成装置の実施形態を示す正面図である。
【図２】本実施形態の紙容器の切欠形成装置における回転変位駆動部の動作を示す説明図である。
【図３】本実施形態の紙容器の切欠形成装置における回転カッタ部の概略を示す正面図である。
【図４】本実施形態の紙容器の切欠形成装置における回転カッタ部の概略を示す側面図である。
【図５】本実施形態で形成されたカートンブランクスで加工した切欠を有する紙容器の斜視図である。
【図６】本実施形態の切欠が形成されたカートンブランクスを積層したブランクスブロックを示す斜視図である。
【図７】（ａ）および（ｂ）は切欠の形状を示す平面図である。
【符号の説明】
２１  切欠形成装置
２２  搬送ライン
２３  保持リフト
２４  昇降ライン
２５  回転変位駆動部
２６  回転カッタ部
３０、３１  リンクアーム
３７  第１回転刃
３８  第２回転刃
４２、４３  昇降シリンダ
４８  集塵フード部
【図１】
0004271749.tif 000002
【図２】
0004271749.tif 000003
【図３】
0004271749.tif 000004
【図４】
0004271749.tif 000005
【図５】
0004271749.tif 000006
【図６】
0004271749.tif 000007
【図７】
0004271749.tif 000008